(57)【要約】  本開示は、サービス提供方法、装置、システム、記憶媒体及び電子装置を提供する。サービス提供方法は、ネットワーク機能仮想化管理及びオーケストレーションシステムＮＦＶ−ＭＡＮＯが動作している場合、サービスニーズに応じてＮＦＶ−ＭＡＮＯにおけるサービスノードのサービスサポート能力を調整するステップであって、サービスノードがサービスサポート能力の調整をサポートし、調整されたサービスサポート能力に従ってサービスを提供するステップを含む。本開示により、関連技術におけるサービスノードがサービスニーズを柔軟にサポートできないという問題が解決され、サービスノードは、調整されたサービスサポート能力に基づいてサービスを提供することができ、サービスノードの柔軟性が向上する。【選択図】図２
2022501903.tif 000002
【特許請求の範囲】
【請求項１】
サービス提供方法であって、
ネットワーク機能仮想化管理及びオーケストレーションシステムＮＦＶ−ＭＡＮＯが動作している場合、サービスニーズに応じて前記ＮＦＶ−ＭＡＮＯにおけるサービスノードのサービスサポート能力を調整するステップであって、前記サービスノードが前記サービスサポート能力の調整をサポートし、前記サービスノードが調整されたサービスサポート能力に従ってサービスを提供するステップを含む、サービス提供方法。
【請求項２】
サービスニーズに応じて前記ＮＦＶ−ＭＡＮＯにおけるサービスノードのサービスサポート能力を調整する前記ステップの前に、前記サービスノードにサポートされる調整モードを確定するステップを含む、請求項１に記載の方法。
【請求項３】
調整モードパラメータに基づいて前記サービスノードにサポートされる調整モードを確定するという方式で、前記サービスノードにサポートされる調整モードを確定し、ここで、前記調整モードパラメータが前記サービスノードの構成情報に含まれる、請求項２に記載の方法。
【請求項４】
前記調整モードパラメータは、前記サービスノードのサービスサポート能力パラメータのうち、調整をサポートする前記サービスサポート能力パラメータを特徴付けるための調整方式パラメータを含み、ここで、前記サービスサポート能力パラメータは、前記サービスノードのサービスサポート能力を特徴付けるために使用される、請求項３に記載の方法。
【請求項５】
前記調整をサポートする前記サービスサポート能力パラメータは、前記サービスノードにサポートされるサービスタイプ、前記サービスノードにサポートされる、指定されたサービスタイプのサービスインスタンスの数、前記サービスノードにサポートされるインターフェース操作、前記サービスノードにサポートされるインターフェース操作の並行操作の数のうちの少なくとも１つを含む、請求項４に記載の方法。
【請求項６】
サービスニーズに応じて前記ＮＦＶ−ＭＡＮＯにおけるサービスノードのサービスサポート能力を調整する前記ステップは、
前記調整をサポートする前記サービスサポート能力パラメータに基づき、調整ターゲットに応じて、前記調整をサポートする前記サービスサポート能力パラメータに含まれる１つ又は複数の前記サービスサポート能力パラメータを調整するするステップであって、前記調整ターゲットが前記サービスニーズと前記サービスノードのサービスサポート能力によって確定されるステップを含む、請求項４又は５に記載の方法。
【請求項７】
前記調整モードパラメータは、前記サービスノードにサポートされる調整イニシエーターを特徴付けるための調整イニシエーターパラメータをさらに含み、ここで、前記調整イニシエーターが前記サービスノード及び／又は前記サービスノードの管理ノードを含む、請求項３に記載の方法。
【請求項８】
サービスニーズに応じて前記ＮＦＶ−ＭＡＮＯにおけるサービスノードのサービスサポート能力を調整する前記ステップの前に、前記サービスノードの構成情報によって前記サービスノードのサービスサポート能力が調整をサポートすることを確定するステップをさらに含む、請求項１に記載の方法。
【請求項９】
前記構成情報は、前記サービスノードの情報モデルである、請求項３又は８に記載の方法。
【請求項１０】
サービスニーズに応じて前記ＮＦＶ−ＭＡＮＯにおけるサービスノードのサービスサポート能力を調整する前記ステップの前に、
サービスサポート能力調整リクエスト、前記サービスノードが動作しているときの情報、予め設定されたデプロイポリシーのうちの少なくとも１つによって前記サービスニーズを確定するステップをさらに含む、請求項１に記載の方法。
【請求項１１】
サービスニーズに応じて前記ＮＦＶ−ＭＡＮＯにおけるサービスノードのサービスサポート能力を調整する前記ステップの前に、
前記サービスノードが調整トリガー条件を満たしていることを確定するステップであって、前記調整トリガー条件が、予め設定された調整時間に達すること、サービスサポート能力調整リクエストを受信したこと、又は前記サービスノードが動作しているときの情報が予め設定された指標を満たしていることを含むステップを含む、請求項１に記載の方法。
【請求項１２】
サービスニーズに応じて前記ＮＦＶ−ＭＡＮＯにおけるサービスノードのサービスサポート能力を調整する前記ステップの後、前記調整されたサービスサポート能力に応じて前記サービスノードのサービスサポート能力パラメータを調整するステップであって、前記サービスサポート能力パラメータが前記サービスノードのサービスサポート能力を特徴付けるために使用されるステップを含む、請求項１に記載の方法。
【請求項１３】
サービスニーズに応じて前記ＮＦＶ−ＭＡＮＯにおけるサービスノードのサービスサポート能力を調整する前記ステップの後、
前記調整された前記サービスサポート能力に応じて対応するリソースを申請又は解放して、前記サービスノードのリソースを前記サービスニーズと一致させるステップをさらに含む、請求項１に記載の方法。
【請求項１４】
サービス提供装置であって、
ネットワーク機能仮想化管理及びオーケストレーションシステムＮＦＶ−ＭＡＮＯが動作している場合、サービスニーズに応じて前記ＮＦＶ−ＭＡＮＯにおけるサービスノードのサービスサポート能力を調整するように設けられ、前記サービスノードが前記サービスサポート能力の調整をサポートし、前記サービスノードが調整されたサービスサポート能力に従ってサービスを提供する調整モジュールを含む、サービス提供装置。
【請求項１５】
前記装置は、
サービスニーズに応じて前記ＮＦＶ−ＭＡＮＯにおけるサービスノードのサービスサポート能力を調整する前に、前記サービスノードにサポートされる調整モードを確定するように設けられる第１の確定モジュールをさらに含む、請求項１４に記載の装置。
【請求項１６】
前記第１の確定モジュールはさらに、
調整モードパラメータに基づいて前記サービスノードにサポートされる調整モードを確定するという方式で、前記サービスノードにサポートされる調整モードを確定するように設けられ、前記調整モードパラメータが前記サービスノードの構成情報に含まれる、請求項１５に記載の方法。
【請求項１７】
前記調整モードパラメータは、前記サービスノードのサービスサポート能力パラメータのうち、調整をサポートする前記サービスサポート能力パラメータを特徴付けるための調整方式パラメータを含み、ここで、前記サービスサポート能力パラメータは、前記サービスノードのサービスサポート能力を特徴付けるために使用される、請求項１６に記載の装置。
【請求項１８】
前記調整をサポートする前記サービスサポート能力パラメータは、前記サービスノードにサポートされるサービスタイプ、前記サービスノードにサポートされる、指定されたサービスタイプのサービスインスタンスの数、前記サービスノードにサポートされるインターフェース操作、前記サービスノードにサポートされるインターフェース操作の並行操作の数のうちの少なくとも１つを含む、請求項１７に記載の装置。
【請求項１９】
前記調整モジュールは、
前記調整をサポートする前記サービスサポート能力パラメータに基づき、調整ターゲットに応じて、前記調整をサポートする前記サービスサポート能力パラメータに含まれる１つ又は複数の前記サービスサポート能力パラメータを調整するように設けられ、前記調整ターゲットが前記サービスニーズと前記サービスノードのサービスサポート能力によって確定される調整サブモジュールを含む、請求項１７又は１８に記載の装置。
【請求項２０】
前記調整モードパラメータは、前記サービスノードにサポートされる調整イニシエーターを特徴付けるための調整イニシエーターパラメータをさらに含み、ここで、前記調整イニシエーターが前記サービスノード及び／又は前記サービスノードの管理ノードを含む、請求項１６に記載の装置。
【請求項２１】
前記装置は、
サービスニーズに応じて前記ＮＦＶ−ＭＡＮＯにおけるサービスノードのサービスサポート能力を調整する前に、前記サービスノードの構成情報によって前記サービスノードのサービスサポート能力が調整をサポートすることを確定するように設けられる第２の確定モジュールをさらに含む、請求項１４に記載の装置。
【請求項２２】
前記構成情報は、前記サービスノードの情報モデルである、請求項１６又は２１に記載の装置。
【請求項２３】
前記装置は、
サービスニーズに応じて前記ＮＦＶ−ＭＡＮＯにおけるサービスノードのサービスサポート能力を調整する前に、サービスサポート能力調整リクエスト、前記サービスノードが動作しているときの情報、予め設定されたデプロイポリシーのうちの少なくとも１つによって前記サービスニーズを確定するように設けられる第３の確定モジュールをさらに含む、請求項１４に記載の装置。
【請求項２４】
前記装置は、
前記サービスニーズに応じて前記ＮＦＶ−ＭＡＮＯにおけるサービスノードのサービスサポート能力を調整する前に、前記サービスノードが調整トリガー条件を満たしていることを確定するように設けられ、前記調整トリガー条件が、予め設定された調整時間に達すること、サービスサポート能力調整リクエストを受信したこと、又は前記サービスノードが動作しているときの情報が予め設定された指標を満たしていることを含む第４の確定モジュールをさらに含む、請求項１４に記載の装置。
【請求項２５】
前記装置は、
サービスニーズに応じて前記ＮＦＶ−ＭＡＮＯにおけるサービスノードのサービスサポート能力を調整した後、前記調整されたサービスサポート能力に応じて前記サービスノードのサービスサポート能力パラメータを更新するように設けられ、前記サービスサポート能力パラメータが前記サービスノードのサービスサポート能力を特徴付けるために使用される更新モジュールをさらに含む、請求項１４に記載の装置。
【請求項２６】
前記装置は、
サービスニーズに応じて前記ＮＦＶ−ＭＡＮＯにおけるサービスノードのサービスサポート能力を調整した後、前記調整された前記サービスサポート能力に応じて対応するリソースを申請又は解放して、前記サービスノードのリソースを前記サービスニーズと一致させるように設けられるサービスリソース調整モジュールをさらに含む、請求項１４に記載の装置。
【請求項２７】
前記請求項１４〜２６のいずれか１項に記載のサービス提供装置を含む、サービス提供システム。
【請求項２８】
コンピュータプログラムが記憶されており、前記コンピュータプログラムが実行されるときに前記請求項１〜１３のいずれか１項に記載の方法を実行するように設けられる、記憶媒体。
【請求項２９】
電子装置であって、
メモリとプロセッサとを含み、前記メモリにコンピュータプログラムが記憶され、前記プロセッサが前記コンピュータプログラムを動作させて前記請求項１〜１３のいずれか１項に記載の方法を実行するように設けられる、電子装置。
【発明の詳細な説明】
【技術分野】
【０００１】
（関連出願への相互参照）
本出願は、２０１８年９月１８日に中国特許庁に提出された、出願番号が２０１８１１０８９１７５.９である中国特許出願に対する優先権を主張し、その全ての内容が参照により本明細書に組み込まれる。
【０００２】
本開示は、通信分野に関し、例えばサービス提供方法、装置、システム、記憶媒体及び電子装置に関する。
【背景技術】
【０００３】
ネットワーク機能仮想化（ＮＦＶ：Ｎｅｔｗｏｒｋ  Ｆｕｎｃｔｉｏｎｓ  Ｖｉｒｔｕａｌｉｚａｔｉｏｎ）は、汎用ハードウェア及び仮想化技術を使用して他の機能を搭載するソフトウェア処理技術であり、高価なネットワーク機器のコストを削減することを目的としている。ＮＦＶは、ソフトウェアとハードウェアの結合解除及び機能抽象化により、ネットワーク機器の機能を専用ハードウェアに依存させないようにし、リソースを十分かつ柔軟に共有し、新しいサービスの迅速な開発及びデプロイを実現し、実際のサービスニーズに基づいて自動デプロイ、弾性伸縮、故障隔離及び自己修復などを行うことができる。
【０００４】
図１ａに示すように、欧州電気通信標準化協会（ＥＴＳＩ：Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）によって定義されたＮＦＶシステムアーキテクチャは、主に、ビジネス運営サポートシステム及び管理サポートプラットフォーム（ＯＳＳ／ＢＳＳ：Ｏｐｅｒａｔｉｏｎ−Ｓｕｐｐｏｒｔ  Ｓｙｓｔｅｍ／Ｂｕｓｉｎｅｓｓ  Ｓｕｐｐｏｒｔ  Ｓｙｓｔｅｍ）、仮想化されたネットワーク機能（ＶＮＦ：Ｖｉｒｔｕａｌｉｚｅｄ  Ｎｅｔｗｏｒｋ  Ｆｕｎｃｔｉｏｎ）、ネットワーク機能仮想化インフラストラクチャ（ＮＦＶＩ：Ｎｅｔｗｏｒｋ  Ｆｕｎｃｔｉｏｎｓ  Ｖｉｒｔｕａｌｉｚａｔｉｏｎ  Ｉｎｆｒａｓｔｒｕｃｔｕｒｅ）、ネットワーク機能仮想化管理及びオーケストレーションシステム（ＮＦＶ−ＭＡＮＯ：ＶＮＦ−Ｍａｎａｇｅｍｅｎｔ  ａｎｄ  Ｏｒｃｈｅｓｔｒａｔｉｏｎ）を含む。
【０００５】
ここで、ＮＦＶＩは、主に、計算、記憶及びネットワークのハードウェアリソースを全面的に仮想化させ、それらを仮想リソースにマッピングするが、ＶＮＦは、ソフトウェアを使用して様々な既存の物理ネットワーク機能を実現する。ＶＮＦは、ＮＦＶＩによって仮想化された仮想リソースを使用してＮＦＶＩで動作する。ＮＦＶ−ＭＡＮＯは、ＶＮＦとＮＦＶＩとの間の関係、及びＶＮＦ間及び／又は他の物理ネットワーク機能（ＰＮＦ：Ｐｈｙｓｉｃａｌ  Ｎｅｔｗｏｒｋ  Ｆｕｎｃｔｉｏｎｓ）との接続関係の管理及びオーケストレーションを行う。
【０００６】
ＭＡＮＯエンティティがネットワーク機能の仮想化を実現するための管理ノードとして正常に動作しているか否かは、ＮＦＶネットワーク全体が正常に管理、運用及び保守され得るか否かに関係し、したがって、ＭＡＮＯを構成する様々なエンティティは、ネットワーク機能の仮想化の管理及びオーケストレーションを正常に完了できることを確保するために、運用、保守及び管理も必要となる。
【０００７】
関連技術では、ＭＡＮＯエンティティがサポートする必要があるサービス、サービス内でサポートされる操作セット及びサポートされる並行操作の最大数は、全てデプロイする前に予め計画されており、デプロイされた後の動作期間に変更されなく、即ち、静的デプロイ方式に属する。この静的デプロイ方式の前提下で、サポートされていないサービス要求又はサービスニーズを受信すると、失敗のみを返すことができ、サービスの並行操作の最大数が予め設定されたボトルネックに達すると、新しい操作要求又は操作ニーズに対して失敗のみを返すこともでき、ＭＡＮＯエンティティは、外部で、正常な仮想化管理及びオーケストレーションサービスを提供できないように表現される。
【０００８】
関連技術の上記問題について、現在まで効果的な解決策は見出されていない。
【発明の概要】
【発明が解決しようとする課題】
【０００９】
以下のものは、本明細書で詳しく説明されるテーマの概要である。本概要は、特許請求の保護範囲を制限することを意図するものではない。
【００１０】
本開示の実施例は、関連技術におけるサービスノードがサービスニーズを柔軟にサポートできないという問題を少なくとも解決するように、サービス提供方法、装置、システム、記憶媒体及び電子装置を提供する。
【課題を解決するための手段】
【００１１】
本開示の１つの実施例によれば、ネットワーク機能仮想化管理及びオーケストレーションシステムＮＦＶ−ＭＡＮＯが動作している場合、サービスニーズに応じて前記ＮＦＶ−ＭＡＮＯにおけるサービスノードのサービスサポート能力を調整するステップであって、前記サービスノードが前記サービスサポート能力の調整をサポートし、前記サービスノードが調整されたサービスサポート能力に従ってサービスを提供するステップを含むサービス提供方法が提供される。
【００１２】
選択可能に、サービスニーズに応じて前記ＮＦＶ−ＭＡＮＯにおけるサービスノードのサービスサポート能力を調整する前記ステップの前に、前記サービスノードにサポートされる調整モードを確定するステップを含む。
【００１３】
選択可能に、調整モードパラメータに基づいて前記サービスノードにサポートされる調整モードを確定するという方式で、前記サービスノードにサポートされる調整モードを確定し、ここで、前記調整モードパラメータが前記サービスノードの構成情報に含まれる。
【００１４】
選択可能に、前記調整モードパラメータは、前記サービスノードのサービスサポート能力パラメータのうち、調整をサポートする前記サービスサポート能力パラメータを特徴付けるための調整方式パラメータを含み、ここで、前記サービスサポート能力パラメータは、前記サービスノードのサービスサポート能力を特徴付けるために使用される。
【００１５】
選択可能に、前記調整をサポートする前記サービスサポート能力パラメータは、前記サービスノードにサポートされるサービスタイプ、前記サービスノードにサポートされる、指定されたサービスタイプのサービスインスタンスの数、前記サービスノードにサポートされるインターフェース操作、前記サービスノードにサポートされるインターフェース操作の並行操作の数のうちの少なくとも１つを含む。
【００１６】
選択可能に、サービスニーズに応じて前記ＮＦＶ−ＭＡＮＯにおけるサービスノードのサービスサポート能力を調整するステップは、前記調整をサポートする前記サービスサポート能力パラメータに基づき、調整ターゲットに応じて、前記調整をサポートする前記サービスサポート能力パラメータに含まれる１つ又は複数の前記サービスサポート能力パラメータを調整するステップであって、前記調整ターゲットが前記サービスニーズと前記サービスノードのサービスサポート能力によって確定されるステップを含む。
【００１７】
選択可能に、前記調整モードパラメータは、前記サービスノードにサポートされる調整イニシエーターを特徴付けるための調整イニシエーターパラメータをさらに含み、ここで、前記調整イニシエーターが前記サービスノード及び／又は前記サービスノードの管理ノードを含む。
【００１８】
選択可能に、サービスニーズに応じて前記ＮＦＶ−ＭＡＮＯにおけるサービスノードのサービスサポート能力を調整するステップの前に、前記サービスノードの構成情報によって前記サービスノードのサービスサポート能力が調整をサポートすることを確定するステップをさらに含む。
【００１９】
選択可能に、前記構成情報は、前記サービスノードの情報モデルである。
【００２０】
選択可能に、サービスニーズに応じて前記ＮＦＶ−ＭＡＮＯにおけるサービスノードのサービスサポート能力を調整する前記ステップの前に、サービスサポート能力調整リクエスト、前記サービスノードが動作しているときの情報、予め設定されたデプロイポリシーのうちの少なくとも１つによって前記サービスニーズを確定するステップをさらに含む。
【００２１】
選択可能に、サービスニーズに応じて前記ＮＦＶ−ＭＡＮＯにおけるサービスノードのサービスサポート能力を調整する前記ステップの前に、前記サービスノードが調整トリガー条件を満たしていることを確定するステップであって、前記調整トリガー条件が、予め設定された調整時間に達すること、サービスサポート能力調整リクエストを受信したこと、又は前記サービスノードが動作しているときの情報が予め設定された指標を満たしていることを含むステップをさらに含む。
【００２２】
選択可能に、サービスニーズに応じて前記ＮＦＶ−ＭＡＮＯにおけるサービスノードのサービスサポート能力を調整する前記ステップの後、前記調整されたサービスサポート能力に応じて前記サービスノードのサービスサポート能力パラメータを調整するステップであって、前記サービスサポート能力パラメータが前記サービスノードのサービスサポート能力を特徴付けるために使用されるステップを含む。
【００２３】
選択可能に、サービスニーズに応じて前記ＮＦＶ−ＭＡＮＯにおけるサービスノードのサービスサポート能力を調整するステップの後、前記調整された前記サービスサポート能力に応じて対応するリソースを申請又は解放して、前記サービスノードのリソースを前記サービスニーズと一致させるステップをさらに含む。
【００２４】
本開示の別の実施例によれば、ネットワーク機能仮想化管理及びオーケストレーションシステムＮＦＶ−ＭＡＮＯが動作している場合、サービスニーズに応じて前記ＮＦＶ−ＭＡＮＯにおけるサービスノードのサービスサポート能力を調整するように設けられ、前記サービスノードが前記サービスサポート能力の調整をサポートし、前記サービスノードが調整されたサービスサポート能力に従ってサービスを提供する調整モジュールを含むサービス提供装置が提供される。
【００２５】
選択可能に、前記装置は、サービスニーズに応じて前記ＮＦＶ−ＭＡＮＯにおけるサービスノードのサービスサポート能力を調整する前に、前記サービスノードにサポートされる調整モードを確定するように設けられる第１の確定モジュールをさらに含む。
【００２６】
選択可能に、前記第１の確定モジュールは、さらに調整モードパラメータに基づいて前記サービスノードにサポートされる調整モードを確定するという方式で、前記サービスノードにサポートされる調整モードを確定するように設けられ、ここで、前記調整モードパラメータが前記サービスノードの構成情報に含まれる。
【００２７】
選択可能に、前記調整モードパラメータは、前記サービスノードのサービスサポート能力パラメータのうち、調整をサポートする前記サービスサポート能力パラメータを特徴付けるための調整方式パラメータを含み、ここで、前記サービスサポート能力パラメータは、前記サービスノードのサービスサポート能力を特徴付けるために使用される。
【００２８】
選択可能に、前記調整をサポートする前記サービスサポート能力パラメータは、前記サービスノードにサポートされるサービスタイプ、前記サービスノードにサポートされる、指定されたサービスタイプのサービスインスタンスの数、前記サービスノードにサポートされるインターフェース操作、前記サービスノードにサポートされるインターフェース操作の並行操作の数のうちの少なくとも１つを含む。
【００２９】
選択可能に、前記調整モジュールは、前記調整をサポートする前記サービスサポート能力パラメータに基づき、調整ターゲットに応じて、前記調整をサポートする前記サービスサポート能力パラメータに含まれる１つ又は複数の前記サービスサポート能力パラメータを調整するように設けられ、前記調整ターゲットが前記サービスニーズと前記サービスノードのサービスサポート能力によって確定される調整サブモジュールを含む。
【００３０】
選択可能に、前記調整モードパラメータは、前記サービスノードにサポートされる調整イニシエーターを特徴付けるための調整イニシエーターパラメータをさらに含み、ここで、前記調整イニシエーターは、前記サービスノード及び／又は前記サービスノードの管理ノードを含む。
【００３１】
選択可能に、前記装置は、サービスニーズに応じて前記ＮＦＶ−ＭＡＮＯにおけるサービスノードのサービスサポート能力を調整する前に、前記サービスノードの構成情報によって前記サービスノードのサービスサポート能力が調整をサポートすることを確定するように設けられる第２の確定モジュールをさらに含む。
【００３２】
選択可能に、前記構成情報は、前記サービスノードの情報モデルである。
【００３３】
選択可能に、前記装置は、サービスニーズに応じて前記ＮＦＶ−ＭＡＮＯにおけるサービスノードのサービスサポート能力を調整する前に、サービスサポート能力調整リクエスト、前記サービスノードが動作しているときの情報、予め設定されたデプロイポリシーのうちの少なくとも１つによって前記サービスニーズを確定するように設けられる第３の確定モジュールをさらに含む。
【００３４】
選択可能に、前記装置は、前記サービスニーズに応じて前記ＮＦＶ−ＭＡＮＯにおけるサービスノードのサービスサポート能力を調整する前に、前記サービスノードが調整トリガー条件を満たしていることを確定するように設けられ、前記調整トリガー条件が、予め設定された調整時間に達すること、サービスサポート能力調整リクエストを受信したこと、又は前記サービスノードが動作しているときの情報が予め設定された指標を満たしていることを含む第４の確定モジュールをさらに含む。
【００３５】
選択可能に、前記装置は、サービスニーズに応じて前記ＮＦＶ−ＭＡＮＯにおけるサービスノードのサービスサポート能力を調整した後、前記調整されたサービスサポート能力に応じて前記サービスノードのサービスサポート能力パラメータを更新するように設けられ、前記サービスサポート能力パラメータが前記サービスノードのサービスサポート能力を特徴付けるために使用される更新モジュールをさらに含む。
【００３６】
選択可能に、前記装置は、サービスニーズに応じて前記ＮＦＶ−ＭＡＮＯにおけるサービスノードのサービスサポート能力を調整した後、前記調整された前記サービスサポート能力に応じて対応するリソースを申請又は解放して、前記サービスノードのリソースを前記サービスニーズと一致させるように設けられるサービスリソース調整モジュールをさらに含む。
【００３７】
本開示の別の実施例によれば、上記のいずれか一項に記載のサービス提供装置を含むシステムが提供される。
【００３８】
本開示の別の実施例によれば、コンピュータプログラムが記憶されており、前記コンピュータプログラムが実行されるときに上記のいずれか一項の方法の実施例におけるステップを実行するように設けられる記憶媒体も提供される。
【００３９】
本開示の別の実施例によれば、メモリとプロセッサとを含み、前記メモリにコンピュータプログラムが記憶され、前記プロセッサが前記コンピュータプログラムを動作させて上記のいずれか一項に記載の方法の実施例におけるステップを実行するように設けられる電子装置も提供される。
【発明の効果】
【００４０】
本開示の上記の実施例により、ネットワーク機能仮想化管理及びオーケストレーションシステムＮＦＶ−ＭＡＮＯが動作している場合、サービスニーズに応じてＮＦＶ−ＭＡＮＯにおけるサービスノードのサービスサポート能力を調整し、サービスノードが調整されたサービスサポート能力に従ってサービスを提供するようにし、ここで、サービスノードがサービスサポート能力の調整をサポートするため、サービスニーズに応じるサービスノードのサービスサポート能力のオンライン及びリアルタイムな調整を実現することができ、関連技術におけるサービスノードがサービスニーズを柔軟にサポートできないという問題が解決され、サービスノードは、調整されたサービスサポート能力に基づいてサービスを提供することができ、サービスノードの柔軟性が向上する。
【図面の簡単な説明】
【００４１】
ここで説明される図面は本開示をさらに理解するためのものであり、本出願の一部を構成し、本開示の例示的な実施例及びその説明は、本開示を解釈するためのものであり、本開示に対する不適切な限定を構成しない。図面は以下の通りである。
【図１ａ】本開示の関連技術におけるＥＴＳＩ  ＮＦＶシステムのアーキテクチャ図である。
【図１ｂ】本開示の関連技術におけるＥＴＳＩによって定義されたＭＡＮＯエンティティの構成模式図である。
【図２】本開示の実施例に係るサービス提供方法のフローチャートである。
【図３】本開示の実施例に係るサービス提供装置の構造ブロック図である。
【図４ａ】本開示の選択可能な実施例に係るＭＡＮＯエンティティ情報モデルの模式図である。
【図４ｂ】本開示の選択可能な実施例に係るサービス提供方法のインタラクションプロセスの模式図である。
【図５】本開示の選択可能な実施例に係る管理対象ノードが内部サービスインスタンスの数を調整するように制御されるインタラクションプロセスの模式図である。
【図６】本開示の選択可能な実施例に係る管理対象ノードが内部サービスインターフェース操作を調整するように制御されるインタラクションプロセスの模式図である。
【図７】本開示の選択可能な実施例に係る管理対象ノードが内部サービスタイプを調整するように制御されるインタラクションプロセスの模式図である。
【図８】本開示の選択可能な実施例に係る管理対象ノードが内部サービスインスタンスの数を自動的に調整するインタラクションプロセスの模式図である。
【図９】本開示の選択可能な実施例に係る管理対象ノードが内部サービスインターフェース操作を自動的に調整するインタラクションプロセスの模式図である。
【図１０】本開示の選択可能な実施例に係るＶＮＦＭサポート能力を１回調整するフローチャートである。
【発明を実施するための形態】
【００４２】
以下に図面を参照しながら実施例を組み合わせて本開示を詳しく説明する。なお、本出願の実施例及び実施例の特徴は、衝突しない場合、互いに組み合わせられてもよい。
【００４３】
なお、本開示の明細書、特許請求の範囲及び上記図面中の用語「第１」、「第２」などは類似するオブジェクトを区別するためのものであり、特定の順序又は順番を説明するために使用される必要がない。
【００４４】
実施例１
本出願の実施例で動作しているアーキテクチャは、管理ノード、管理対象ノード、サービス消費ノードを含み、ここで、管理ノードは、サービスを管理するように設けられ、管理対象ノード即ちサービスノードは、サービスのプロバイダーであり、サービスを提供するように設けられ、サービス消費ノードは、サービスを消費するように設けられる。管理ノード、管理対象ノード、サービス消費ノードはインタラクションを行うことができる。
【００４５】
本実施例ではサービス提供方法が提供される。図２は本開示の実施例に係るサービス提供方法のフローチャートである。図２に示すように、このプロセスは、次のステップを含む。
【００４６】
ステップＳ２０２において、ネットワーク機能仮想化管理及びオーケストレーションシステムＮＦＶ−ＭＡＮＯが動作している場合、サービスニーズに応じてＮＦＶ−ＭＡＮＯにおけるサービスノードのサービスサポート能力を調整し、ここで、サービスノードは、サービスサポート能力の調整をサポートし、サービスノードは、調整されたサービスサポート能力に従ってサービスを提供する。
【００４７】
上記のステップにより、ネットワーク機能仮想化管理及びオーケストレーションシステムＮＦＶ−ＭＡＮＯが動作している場合、サービスニーズに応じてＮＦＶ−ＭＡＮＯにおけるサービスノードのサービスサポート能力を調整し、サービスノードが調整されたサービスサポート能力に従ってサービスを提供するようにし、ここで、サービスノードがサービスサポート能力の調整をサポートするため、サービスニーズに応じるサービスノードのサービスサポート能力のオンライン及びリアルタイムな調整を実現することができ、関連技術におけるサービスノードがサービスニーズを柔軟にサポートできないという問題が解決され、サービスノードは、調整されたサービスサポート能力に基づいてサービスを提供することができ、サービスノードの柔軟性が向上する。
【００４８】
なお、ネットワーク機能仮想化管理及びオーケストレーションシステムＮＦＶ−ＭＡＮＯが動作している場合、サービスニーズに応じてＮＦＶ−ＭＡＮＯにおけるサービスノードのサービスサポート能力を調整するステップの実行本体は限定されず、サービスノード以外のあるエンティティ、例えばある管理エンティティ又はあるエンティティにおける管理モジュールであってもよいし、サービスノード自体、例えばサービスノード自体の１つの調整モジュールであってもよい。
【００４９】
選択可能に、サービスニーズに応じてＮＦＶ−ＭＡＮＯにおけるサービスノードのサービスサポート能力を調整するステップの前に、サービスノードにサポートされる調整モードを確定するステップを含む。
【００５０】
選択可能に、調整モードパラメータに基づいてサービスノードにサポートされる調整モードを確定するという方式で、サービスノードにサポートされる調整モードを確定し、ここで、調整モードパラメータはサービスノードの構成情報に含まれる。
【００５１】
選択可能に、調整モードパラメータは、サービスノードのサービスサポート能力パラメータのうち、調整をサポートするサービスサポート能力パラメータを特徴付けるための調整方式パラメータを含み、ここで、サポート能力パラメータは、サービスノードのサービスサポート能力を特徴付けるために使用される。
【００５２】
なお、調整方式パラメータは、サービスノードのサービスサポート能力パラメータのうち、調整をサポートするサービスサポート能力パラメータを直接かつ明示的に特徴付けることができ、例えば、調整方式パラメータがサービスタイプであると、このサービスノードがサービスタイプの調整をサポートすることを示し、例えば、調整パラメータがサービスタイプ、サービスタイプＡのサービスインスタンスの数であると、このサービスノードがサービスタイプの調整をサポートし、サービスタイプＡのサービスインスタンスの数の調整もサポートすることを示し、これらの両者の同時調整をサポートすることを示すこともできる。当然、上記の明示方式に加えて、他の方式を使用することもでき、調整方式パラメータにより、サービスノードのサービスサポート能力パラメータのうち、調整をサポートするサービスサポート能力パラメータを取得又は知ることができる実施形態であれば、それらは、全て本出願の保護の範囲内にあるべきである。
【００５３】
選択可能に、調整をサポートするサービスサポート能力パラメータは、サービスノードにサポートされるサービスタイプ、サービスノードにサポートされる、指定されたサービスタイプのサービスインスタンスの数、サービスノードにサポートされるインターフェース操作、サービスノードにサポートされるインターフェース操作の並行操作の数のうちの少なくとも１つを含む。
【００５４】
選択可能に、サービスニーズに応じてＮＦＶ−ＭＡＮＯにおけるサービスノードのサービスサポート能力を調整するステップは、調整をサポートするサービスサポート能力パラメータに基づき、調整ターゲットに応じて、調整をサポートするサービスサポート能力パラメータに含まれる１つ又は複数のサービスサポート能力パラメータを調整するステップであって、調整ターゲットがサービスニーズとサービスノードのサービスサポート能力によって確定されるステップを含む。
【００５５】
なお、調整ターゲットは、サービスニーズとサービスノードのサービスサポート能力によって確定され、例えば、サービスニーズであるインターフェース操作の並行操作の数が５であり、現在のサービスノードのサービスサポート能力が、このサービスノードにサポートされるインターフェース操作の並行操作の最大数が４であることを示すと、調整ターゲットは、このサービスノードがサービスニーズを満たすことができるように、インターフェース操作の並行操作の最大数を５に調整することであってもよく、当然、インターフェース操作の並行操作の最大数を５以上の値、例えば８に調整することであってもよい。
【００５６】
選択可能に、調整モードパラメータは、サービスノードにサポートされる調整イニシエーターを特徴付けるための調整イニシエーターパラメータをさらに含み、ここで、調整イニシエーターは、サービスノード及び／又はサービスノードの管理ノードを含む。
【００５７】
なお、調整イニシエーターは、サービスノードにおける管理モジュールであってもよく、サービスノードの管理ノードは、このサービスノードを管理するための管理ノードであってもよいし、他のノード（管理ノード、サービスノード以外のノード）における１つの管理モジュールであってもよいし、独立して設けられた管理エンティティであってもよい。
【００５８】
選択可能に、サービスニーズに応じてＮＦＶ−ＭＡＮＯにおけるサービスノードのサービスサポート能力を調整するステップの前に、サービスノードの構成情報によってサービスノードのサービスサポート能力が調整をサポートすることを確定するステップをさらに含む。
【００５９】
選択可能に、構成情報は、サービスノードの情報モデルである。
【００６０】
選択可能に、サービスニーズに応じてＮＦＶ−ＭＡＮＯにおけるサービスノードのサービスサポート能力を調整するステップの前に、サービスサポート能力調整リクエスト、サービスノードが動作しているときの情報、予め設定されたデプロイポリシーのうちの少なくとも１つによって、サービスニーズを確定するステップをさらに含む。
【００６１】
なお、サービスサポート能力調整リクエストに応じてサービスニーズを確定することは、サービスニーズに対応する調整ニーズ又は調整ターゲットがサービスサポート能力調整リクエストに直接含まれ、この調整ニーズがこのサービスノードの調整したい状態を示し、即ちサービスサポート能力調整リクエストにより、調整される前のサービスニーズを知ることができることであってもよく、サービスノードが動作しているときの情報に基づいてサービスニーズを確定することは、動作しているときの情報を使用して分析して、サービスニーズを満たすことができる調整ターゲットを取得し、この調整ターゲットがサービスニーズを特徴付けるため、この調整ターゲットをサービスニーズとして使用することができることであってもよく、予め設定されたデプロイポリシーに従ってサービスニーズを確定することは、予め設定されたポリシーにおいてサービスノードが一定のサービスニーズを満たしなければならないことが要求されると、このデプロイポリシーにより、サービスニーズを取得又は知ることができることであってもよい。
【００６２】
選択可能に、サービスニーズに応じてＮＦＶ−ＭＡＮＯにおけるサービスノードのサービスサポート能力を調整するステップの前に、サービスノードが調整トリガー条件を満たしていることを確定するステップであって、調整トリガー条件が、予め設定された調整時間に達すること、サービスサポート能力調整リクエストを受信したこと、又はサービスノードが動作しているときの情報が予め設定された指標を満たしていることを含むステップをさらに含む。
【００６３】
なお、調整トリガー条件が予め設定された調整時間に達することを含むことは、例えば過去の経験に従っていくつかのサービスニーズのピーク警告時間を予め設定することができ、この警告時間に達すると調整がトリガーされ、これにより、事前の準備により、急増するサービスニーズをより良く満たすことができるというシナリオ、サービス能力調整リクエストを受信した直後に調整がトリガーされ得るというシナリオと、サービスノードが動作しているときの情報が予め設定された指標を満たすと、調整がトリガーされてもよく、例えばあるパラメータ指標がいくつかの予め設定された正常な閾値よりも高く又は低いと、このサービスノードの動作状態が異常であり、サービスニーズと一致できないことを示し、したがって、調整をトリガーする必要があるというシナリオであってもよい。
【００６４】
選択可能に、サービスニーズに応じてＮＦＶ−ＭＡＮＯにおけるサービスノードのサービスサポート能力を調整するステップの後、調整されたサービスサポート能力に応じてサービスノードのサービスサポート能力パラメータを更新するステップであって、サービスサポート能力パラメータがサービスノードのサービスサポート能力を特徴付けるために使用されるステップを含む。
【００６５】
選択可能に、サービスニーズに応じてＮＦＶ−ＭＡＮＯにおけるサービスノードのサービスサポート能力を調整するステップの後、調整されたサービスサポート能力に応じて対応するリソースを申請又は解放して、サービスノードのリソースをサービスニーズと一致させるステップをさらに含む。
【００６６】
なお、対応するリソースを解放して、サービスノードのリソースをサービスニーズと一致させることにより、サービスノードのリソース占有を減らし、リソース節約の目的を達成することができる。
【００６７】
本開示を説明するために、以下に図１ａ及び図１ｂに示すシステムアーキテクチャを組み合わせて本開示の選択可能な実施例を説明する。
【００６８】
図１ａに示すように、ＮＦＶ−ＭＡＮＯ（以下、ＭＡＮＯと略する）は、いくつかのエンティティを含み、例えば、仮想化インフラストラクチャマネージャー（ＶＩＭ：Ｖｉｒｔｕａｌｉｚｅｄ  Ｉｎｆｒａｓｔｒｕｃｔｕｒｅ  Ｍａｎａｇｅｒ）、仮想ネットワーク機能マネージャー（ＶＮＦＭ：Ｖｉｒｔｕａｌｉｚｅｄ  Ｎｅｔｗｏｒｋ  Ｆｕｎｃｔｉｏｎ  Ｍａｎａｇｅｒ）、ネットワーク仮想化機能オーケストレーター（ＮＦＶＯ：Ｎｅｔｗｏｒｋ  Ｆｕｎｃｔｉｏｎ  Ｖｉｒｔｕａｌｉｚａｔｉｏｎ  Ｏｒｃｈｅｓｔｒａｔｏｒ）、即ちＶＩＭエンティティ、ＶＮＦＭエンティティ、ＮＦＶＯエンティティを含み、ここで、ＶＩＭは仮想化リソースの制御及び管理を行い、ＶＮＦＭは、ＶＮＦのライフサイクル管理を行い、ＮＦＶＯは、インフラストラクチャのオーケストレーション及び管理、並びにネットワークサービス（ＮＳ：Ｎｅｔｗｏｒｋ  Ｓｅｒｖｉｃｅ）のライフサイクル管理を行う。
【００６９】
例えば、ＶＮＦＭは、ＶＮＦライフサイクル管理サービスをＮＦＶＯに提供するとともに、ＭＡＮＯ性能管理サービスをマネージャーに提供し、ここで、マネージャーは、ＮＦＶＯであってもよいし、独立してデプロイされた管理モジュールであってもよい。同じサービスタイプは、異なるピアエンドを接続及び又は異なる操作グループをサポートすることにより、異なるサービススインスタンスを提供することができる。
【００７０】
図１ｂに示すＮＦＶ−ＭＡＮＯサービスＣ１とＮＦＶ−ＭＡＮＯサービスＣ２は、同じサービスタイプＣの異なるサービスインスタンスであり、ＮＦＶ−ＭＡＮＯ管理サービスＢ１とＮＦＶ−ＭＡＮＯ管理サービスＢ２は、同じ管理サービスＢの異なるサービスインスタンスである。
【００７１】
ＩＦＡ０２１とＩＦＡ０３１ではＭＡＮＯエンティティ及びその情報モデルの概念も定義され、ここで、ＭＡＮＯエンティティは、単一又は１グループのＭＡＮＯサービスを完了するためのエンティティとして定義され、ＭＡＮＯサービスは、標準化されたインターフェースを介して外部に提供される１つ以上の機能として定義され、ＭＡＮＯエンティティの情報モデルではＭＡＮＯエンティティの状態、設定可能なパラメータ、サポートされるサービスインスタンスリスト及び仕様パラメータの合計４種類のパラメータセットを含む、このエンティティが提供できるサービスの全ての関連情報がパッケージングされている。
【００７２】
情報モデルでの情報に基づいて、ＭＡＮＯ保守及び管理機能インターフェースと組み合わせて、ＭＡＮＯエンティティの保守及び管理を実現し、例えば、マネージャーは、機能インターフェースをデプロイすることにより、ＭＡＮＯエンティティとそれに関連するエンティティとの接続関係を設定することができ、情報によって機能インターフェースをクエリすることでＭＡＮＯエンティティにサポートされるサービスインスタンスのリスト及び状態を取得することもでき、性能管理機能インターフェースを介してＭＡＮＯエンティティの動作期間の性能を取得し、状態管理機能インターフェースを介してＭＡＮＯエンティティの状態を変更することもできる。
【００７３】
運用・保守・管理に係るＭＡＮＯエンティティの様々なシナリオがＥＴＳＩ  ＮＦＶインターフェース及びアーキテクチャ（ＩＦＡ：Ｉｎｔｅｒｆａｃｅｓ  ａｎｄ  Ａｒｃｈｉｔｅｃｔｕｒａｌ）グループ研究レポートＩＦＡ０２１で分析され、分析の結論がＩＦＡ０３１で標準化されて定義される。
【００７４】
各ＭＡＮＯエンティティは、他のＥＴＳＩ  ＮＦＶ仕様で定義された、仮想リソースへの管理及びオーケストレーション機能を完了するとともに、それ自体の運用・保守及び管理機能インターフェースを完了する必要がある。
【００７５】
ここで、ＭＡＮＯ保守及び管理機能インターフェースは、ＭＡＮＯ構成及び情報管理インターフェース（ＮＦＶ−ＭＡＮＯ：Ｃｏｎｆｉｇｕｒａｔｉｏｎ  ａｎｄ  Ｉｎｆｏｒｍａｔｉｏｎ  Ｍａｎａｇｅｍｅｎｔ  ｉｎｔｅｒｆａｃｅ）、ＭＡＮＯ状態管理インターフェース（ＮＦＶ−ＭＡＮＯ：Ｓｔａｔｅ  Ｍａｎａｇｅｍｅｎｔ  ｉｎｔｅｒｆａｃｅ）、ＭＡＮＯ障害管理インターフェース（ＮＦＶ−ＭＡＮＯ：Ｆａｕｌｔ  Ｍａｎａｇｅｍｅｎｔ  ｉｎｔｅｒｆａｃｅ）、ＭＡＮＯ性能管理インターフェース（ＮＦＶ−ＭＡＮＯ：Ｐｅｒｆｏｒｍａｎｃｅ  Ｍａｎａｇｅｍｅｎｔ  ｉｎｔｅｒｆａｃｅ）及びＭＡＮＯログ管理インターフェース（ＮＦＶ−ＭＡＮＯ：Ｌｏｇ  Ｍａｎａｇｅｍｅｎｔ  ｉｎｔｅｒｆａｃｅ）を含む。
【００７６】
各インターフェースは、１グループの操作（ｏｐｅｒａｔｉｏｎ）で構成され、例えばＭＡＮＯ構成及び情報管理インターフェースは、変更構成操作（Ｍｏｄｉｆｙ  Ｃｏｎｆｉｇ  ｏｐｅｒａｔｉｏｎ）、クエリ構成操作（Ｑｕｅｒｙ  Ｃｏｎｆｉｇｌｎｆｏ  ｏｐｅｒａｔｉｏｎ）、サブスクライブ操作（Ｓｕｂｓｃｒｉｂｅ  ｏｐｅｒａｔｉｏｎ）、サブスクライブ解除操作（Ｕｎｓｕｂｓｃｒｉｂｅ  ｏｐｅｒａｔｉｏｎ）と通知操作（Ｎｏｔｉｆｙ  ｏｐｅｒａｔｉｏｎ）で構成される。
【００７７】
管理システムは、エレメント管理（ＥＭ：Ｅｌｅｍｅｎｔ  Ｍａｎｇｅ）によりネットワーク機能ノードを管理することもでき、図１ａに示すように、ＥＭは主にＶＮＦのアプリケーション層の管理に使用され、ＭＡＮＯエンティティの管理を行わない。
【００７８】
本開示の実施例に係る方法では、ＭＡＮＯエンティティ情報モデルで、それがＭＡＮＯサポート能力のオンライン変更をサポートするか否か、ＭＡＮＯサポート能力の変更方式を示すことができる。このＭＡＮＯエンティティが動作している期間に、ＭＡＮＯ管理ノードは、ＭＡＮＯエンティティのサポート能力を変更する必要がある場合、ＭＡＮＯ情報モデルでのサポートされているオンライン変更方式に応じてＭＡＮＯエンティティへの操作を開始し、ＭＡＮＯエンティティのサポート能力のオンライン更新を完了し、又は、ＭＡＮＯエンティティは、予め設定されたポリシーに従って、ＭＡＮＯエンティティのサポート能力の動的調整を自動的に調整する。
【００７９】
本開示の実施例によれば、ＭＡＮＯエンティティのサービスサポート能力のオンライン変更を実現するための装置は、次の論理モジュールを含む。
【００８０】
管理ノード：管理対象ノードによって提供されたＭＡＮＯ管理サービスを消費することにより、管理対象ノードの動作するときの情報を取得することができ、動的調整に対する管理対象ノードのサポート能力に応じて、管理対象ノードの能力が調整される必要があるか否かを判定し、管理対象ノードの能力調整の操作プロセスを開始することができる。この管理ノードは、ＢＳＳ／ＯＳＳ、ＥＭ、ＮＦＶＩ、ＮＦＶＯ、ＶＮＦＭ、ＶＩＭなどのＮＦＶシステムアーキテクチャにおける既存のエンティティにデプロイされてもよいし、独立してデプロイされた機能モジュールであってもよい。
【００８１】
管理対象ノード：ＭＡＮＯサービス及びＭＡＮＯ管理サービスを、対応する消費者に提供することにより、ＭＡＮＯのサポート能力の動的調整が実現されてもよい。管理対象ノードは、任意のＭＡＮＯの構成エンティティ、即ちＮＦＶＯエンティティ、ＶＮＦＭエンティティ、ＶＩＭエンティティであってもよい。
【００８２】
他のノード：管理対象ノードに接続されているノードがあり、それ自体の処理プロセスに従ってＭＡＮＯサービスを管理対象ノードに申請するため、管理対象ノードの性能は、処理が必要なＭＡＮＯサービスの申請数とサービスタイプに伴って変化する。同時に、管理対象ノードの性能は、外部に提供されるサービスの品質にも影響を与えるため、他のノードの処理プロセスの実行結果に影響を与える。管理対象ノードがＮＦＶＯである場合、他のノードはＢＳＳ／ＯＳＳ、ＶＮＦＭ、ＶＩＭであり、管理対象ノードがＶＮＦＭである場合、他のノードはＥＭ、ＶＮＦ、ＮＦＶＯ、ＶＩＭであり、管理対象ノードがＶＩＭである場合、他のノードはＮＦＶＩ、ＮＦＶＯ、  ＶＮＦＭである。
【００８３】
図４ａ及び図４ｂに示すように、本開示の実施例によれば、管理対象ノードのサービスサポート能力を動的に調整するための方法は、次のステップを含む。
【００８４】
ステップ４０１において、図４ａに示すように、ノードがサポート能力の動的調整をサポートすることを示すための動的調整特性パラメータを追加する。ここで、動的調整特性パラメータは、動的調整がサポートされているか否か、動的調整のイニシエーター、管理ノードによって調整をトリガーし、又は管理対象ノードによって動作状況に応じて自動的に調整するという情報を含む。
【００８５】
さらに、調整する場合、サービスに関連するサポート操作リスト及び並行操作の最大数の変更、サポートされるサービスタイプの変更などを含むがこれらに限定されない調整方式を使用することができ、管理対象ノードは、サービスインスタンスの数の変更、サービスのインターフェース操作の変更という一部の調整方式のみをサポートすることができ、全ての調整方式をサポートすることもできる。
【００８６】
ステップ４０２において、管理対象ノードが動作している期間に、管理ノード及び他のノードにサービスを提供し、管理ノードは、ＭＡＮＯ性能管理インターフェース、ＭＡＮＯ障害管理インターフェースなどを使用して管理対象ノードの動作状態を取得し、管理ノードが管理対象ノードのサポート能力を調整する必要があると判定した場合、その情報モデルでの動的調整特性パラメータが、それが管理ノードによる調整のトリガーをサポートすることを示すと、管理ノードは、サポート能力の調整を完了するように管理対象ノードを制御する。ここで、管理ノードは、調整されたサービスタイプと調整ターゲットを管理対象ノードに示す必要がある。
【００８７】
ステップ４０３において、管理対象ノードの情報モデルでの動的調整特性パラメータが、それが動作状況に基づく自動調整をサポートすることを示している場合、対応するサポート能力を提供してポリシーを自動的に調整する必要があり、管理対象ノードが動作している期間においてポリシーによって設定された条件を満たす場合、管理対象ノードは、サポート能力の調整を自動的に完了する。ここで、サポート能力自動調整ポリシーは、管理ノードによって送信されてもよいし、管理対象ノードによってデプロイされるときのデフォルト設定であってもよい。サポート能力自動調整ポリシーは、自動調整のトリガー条件、調整されるサービスタイプ及び調整ターゲットを含む必要がある。サポート能力自動調整ポリシーは、約束された指標データに基づいて実行がトリガーされてもよいし、設定された時間に従って自動調整操作が実行されてもよい。
【００８８】
さらに、「管理ノード」と「他のノード」の２つの論理モジュールは、異なるデプロイスキームに従って組み合わせられてＮＦＶアーキテクチャの同じエンティティ（ＢＳＳ／ＯＳＳ、ＮＦＶＯなど）にデプロイされてもよく、組み合わせられずにＮＦＶアーキテクチャにおける異なるエンティティにデプロイされてもよい。
【００８９】
さらに、動的調整能力に対する管理対象ノードのサポートは、情報モデルでの明示的なパラメータとして直接使用されず、ソフトウェア機能仕様書、又は管理対象ノードへの構成管理などの方式で、動的調整能力へのサポート及びサポート方式をユーザと管理ノードに示すことができる。
【００９０】
本開示の実施例で記載される方法及び装置では、動作状況に応じるＭＡＮＯエンティティのサポート能力の調整を実現することができ、ＭＡＮＯエンティティのサポート能力を自動的に調整する効果を達成し、ユーザの保守及び介入プロセスを減少し、ＮＦＶネットワークの自動化の程度を向上させる。
【００９１】
本実施例は以下の実施形態をさらに含む。
【００９２】
選択可能な実施形態１
図５に示すように、本実施例を採用すると、管理対象ノードのサービスインスタンスの数のオンライン調整を実現することができ、その使用シナリオの例として、ネットワークのデプロイの初期に、ＶＮＦＭは、主にＶＮＦライフサイクルサービスを提供し、デプロイ時間長を節約するために、このときにＶＮＦＭエンティティは、複数のＶＮＦライフサイクルサービスインスタンスを提供することができる。デプロイが完了された後、安定した運用期間に入り、ユーザは、様々な性能管理、障害監視などのタスクを徐々に増やし、保守及び管理サービスの需要が増加しているため、保守及び管理サービスのインスタンス数を増加させ、ＶＮＦライフサイクルサービスインスタンスを適切に減少させることができる。
【００９３】
本開示の内容は、以下のステップによって完了される。
【００９４】
ステップ５０１において、管理対象ノードは、サービスインスタンス数のオンライン調整をサポートし、管理対象ノードの情報モデルでは管理対象ノードの初期デプロイに必要な各種の情報が含まれる以外、サービスインスタンスの数の調整をサポートすることも示している。
【００９５】
ステップ５０２において、管理ノードは、ＭＡＮＯ情報クエリリクエストを使用して管理対象ノードの情報を取得し、管理対象ノードは、このエンティティがサービスインスタンス数の調整をサポートするという情報を情報クエリ応答に追加する。
【００９６】
ステップ５０３において、管理対象ノードは、動作中にＭＡＮＯサービスとＭＡＮＯ管理サービスを含むサービスを管理ノード及び他のノードに提供する。
【００９７】
ステップ５０４において、管理ノードは、管理対象ノードから報告された性能データに基づいて、あるタイプのサービスインスタンスの数を変更する必要があると判定し、又は、システムの運用及び保守ニーズに応じて、保守及び管理担当者は、あるタイプのサービスインスタンスの数の変更を直接開始する。
【００９８】
ステップ５０５において、管理ノードは、変更が必要なサービスタイプと変更要求とを含む、ＭＡＮＯサービスインスタンスの変更リクエストを管理対象ノードに送信する。
【００９９】
管理対象ノードは、リクエストに応じて、指定されたサービスインスタンスの数の変更操作を完了する。
【０１００】
管理対象ノードは、変更されたサービスＩＤを含む成功応答を管理ノードに送信する。
【０１０１】
ステップ５０６において、管理ノードは、管理対象ノードの構成情報を更新し、かつこのエンティティによって提供されたサービスを消費する他のノードに対して管理対象ノードのサービスリンク情報を更新する。
【０１０２】
選択可能な実施形態２
図６に示すように、本実施例を採用すると、管理対象ノードのサービスに関連するインターフェース操作のオンライン調整を実現することができ、その使用シナリオの例として、ネットワークのデプロイの初期に、現在のニーズに応じてＮＦＶＯエンティティの様々なサービスの能力及びＮＦＶＯエンティティの仕様パラメータを計画する。デプロイが完了された後、運用期間に入り、ネットワークから提供される必要があるサービスの変化又はサービスを構成するＶＮＦの変化に伴い、このＮＦＶＯサービスのサポート操作リスト又は並行操作の最大数を変更する必要がある。
【０１０３】
本開示の内容は、以下のステップによって完了される。
【０１０４】
ステップ６０１において、管理対象ノードは、サービスインターフェース操作のオンライン調整をサポートし、管理対象ノードの情報モデルでは管理対象ノードの初期構成に必要な各種の情報が含まれる以外、サービスインスタンスのインターフェース操作の調整をサポートすることも示している。
【０１０５】
ステップ６０２において、管理ノードは、ＭＡＮＯ情報クエリリクエストを使用して管理対象ノードの情報を取得し、管理対象ノードは、このエンティティがサービスインターフェース操作の調整をサポートするという情報を情報クエリ応答に追加する。
【０１０６】
ステップ６０３において、管理対象ノードは、動作中にＭＡＮＯサービスとＭＡＮＯ管理サービスを含むサービスを管理ノード及び他のノードに提供する。
【０１０７】
ステップ６０４において、管理ノードは、管理対象ノードから報告された性能データに基づいて、あるサービスのサポート操作リスト又は並行操作の最大数を変更する必要があると判定し、又は、システムの運用及び保守ニーズに応じて、保守及び管理担当者は、あるサービスのサポート操作リスト又は並行操作の最大数の変更を直接開始する。
【０１０８】
ステップ６０５において、管理ノードは、変更が必要なサービスＩＤと能力変更要求とを含むＭＡＮＯサービスインスタンスの変更リクエストを管理対象ノードに送信する。
【０１０９】
管理対象ノードは、リクエストに応じて、指定されたサービスインスタンスの能力変更操作を完了する。
【０１１０】
管理対象ノードは、成功応答を管理ノードに送信する。
【０１１１】
選択可能な実施形態３
図７に示すように、本実施例を採用すると、管理対象ノードのサービスタイプのオンライン調整を実現することができ、その使用シナリオの例として、ネットワークのデプロイの初期に、現在のニーズに応じてＭＡＮＯエンティティの様々なサービスが計画されており、サポートする必要がないサービスはデプロイされてもよい。デプロイが完了された後、運用期間に入り、ネットワークから提供される必要があるサービスの変化に伴い、又は新しいＮＦＶエンティティが消費者として追加されるため、初期にデプロイするときのサポートしないサービスを増加させる必要がある。
【０１１２】
本開示の内容は、以下のステップによって完了される。
【０１１３】
ステップ７０１において、管理対象ノードは、サービスタイプのオンライン調整の能力をサポートし、管理対象ノードの情報モデルでは管理対象ノードの初期デプロイに必要な各種の情報が含まれる以外、サービスタイプの調整をサポートすること、及び初期にデプロイされたサービスタイプに参与しないことも示している。
【０１１４】
ステップ７０２において、管理ノードは、ＭＡＮＯ情報クエリリクエストを使用して管理対象ノードの情報を取得し、管理対象ノードは、このエンティティがサービスタイプの調整をサポートする能力、及び調整可能なサービスタイプを情報クエリ応答に追加する。
【０１１５】
ステップ７０３において、管理対象ノードは、動作中にＭＡＮＯサービスとＭＡＮＯ管理サービスを含むサービスを管理ノード及び他のノードに提供する。
【０１１６】
ステップ７０４において、管理ノードは、予め定義された実行ポリシーニーズに応じて、あるタイプのサービスを増加する必要があり、又はシステムの運用及び保守ニーズに応じて、保守及び管理担当者は、あるタイプのサービスの追加を直接開始する。
【０１１７】
ステップ７０５において、管理ノードは、変更が必要なサービスタイプと追加されたインスタンスの数を含むＭＡＮＯサービスタイプ追加リクエストを管理対象ノードに送信する。
【０１１８】
管理対象ノードは、リクエストに応じて、サービスタイプインスタンスの追加操作を完了する。
【０１１９】
管理対象ノードは、新しく追加されたサービスインスタンスＩＤを含む成功応答を管理ノードに送信する。
【０１２０】
ステップ７０６において、管理ノードは、管理対象ノードに新しく追加されたサービスインスタンスに消費者接続情報を送信し、かつこのサービスを消費する他のノードに対して管理対象ノードのサービスリンク情報を更新して、サービスプロバイダーと消費者の間のリンクを確立する。
【０１２１】
ステップ７０７において、管理対象ノードに新しく追加されたサービスインスタンスは、消費者にサービスを提供する。
【０１２２】
選択可能な実施形態４
図８に示すように、本実施例を採用すると、管理対象ノードがそのサービスインスタンスの数を自動的にオンラインで調整することを実現することができ、その使用シナリオの例として、ネットワークのデプロイの初期に、ＶＮＦＭは、主にＶＮＦのライフサイクルサービスを提供し、このときにＶＮＦＭエンティティ内に複数のＶＮＦライフサイクルサービスエンティティを提供する必要がある。デプロイが完了された後、安定した運用期間に入り、ユーザは、様々な性能管理、障害監視などのタスクを徐々に増やし、保守及び管理サービスの需要が増加しているため、保守及び管理サービスのインスタンス数を増加させることができる。
【０１２３】
本開示の内容は、以下のステップによって完了される。
【０１２４】
ステップ８０１において、管理対象ノードは、サービスインスタンス数のオンライン調整をサポートし、管理対象ノードの情報モデルでは管理対象ノードの初期デプロイに必要な各種の情報が含まれる以外、サービスインスタンスの数の自動調整をサポートすることも示している。
【０１２５】
ステップ８０２において、管理ノードは、ＭＡＮＯ情報クエリリクエストを使用して管理対象ノードの情報を取得し、管理対象ノードは、このエンティティがサービスインスタンス数の自動調整をサポートするという情報を情報クエリ応答に追加する。
【０１２６】
ステップ８０３において、管理ノードは、デプロイポリシーに従って管理対象ノードにサービスインスタンス自動調整ポリシーを送信し、又は保守及び管理担当者は、管理対象ノードのサービスインスタンス自動調整ポリシーを手動でデプロイする。管理対象ノードがこの配信情報を受信しない場合、予め設定されたデフォルトポリシーを使用でき、又は自動調整を実行しない。
【０１２７】
ここで、自動調整ポリシーは、サービス実行期間の性能指標データに基づいてトリガーされてもよいし、設定された時間に従って自動調整操作が実行されてもよい。
【０１２８】
ステップ８０４において、管理対象ノードは、動作中にＭＡＮＯサービスとＭＡＮＯ管理サービスを含むサービスを管理ノード及び他のノードに提供する。
【０１２９】
ステップ８０５において、管理対象ノードが動作している期間に、自動ポリシーの要求が満たされていると、調整する必要があるサービスタイプ及び調整数をポリシーに従って判定する。
【０１３０】
ステップ８０６において、管理対象ノードは、要求に応じて、指定されたサービスインスタンスの数の変更操作を完了する。
【０１３１】
管理対象ノードは、変更後のサービスＩＤを含む、サービスインスタンスの変更通知を管理ノードに送信する。
【０１３２】
ステップ８０７において、管理ノードは、管理対象ノードの構成情報を更新し、このエンティティによって提供されたサービスを消費する他のＮＦＶエンティティに対して管理対象ノードのサービスリンク情報を更新する。
【０１３３】
選択可能な実施形態５
図９に示すように、本実施例を採用すると、管理対象ノードがそのサポート操作リスト及び並行操作の最大数を自動的にオンラインで調整することを実現することができ、その使用シナリオの例として、ネットワークのデプロイの初期に、現在のニーズに応じてＭＡＮＯエンティティの様々なサービスの能力及びＭＡＮＯエンティティの仕様パラメータを計画する。デプロイが完了された後、運用期間に入り、ネットワークにデプロイされたＮＳの変化又はＮＳを構成するＶＮＦの変化に伴い、ＭＡＮＯサービスのサポート操作リスト又は並行操作の最大数を変更する必要がある。
【０１３４】
本開示の内容は、以下のステップによって完了される。
【０１３５】
ステップ９０１において、管理対象ノードは、サービスインターフェース操作のオンライン調整をサポートし、管理対象ノードの情報モデルでは管理対象ノードの初期デプロイに必要な各種の情報が含まれる以外、サービスインターフェース操作の自動調整をサポートすることも示している。
【０１３６】
ステップ９０２において、管理ノードは、ＭＡＮＯ情報クエリリクエストを使用して管理対象ノードの情報を取得し、管理対象ノードは、サービスインターフェース操作の自動調整をサポートするという情報を情報クエリ応答に追加する。
【０１３７】
ステップ９０３において、管理ノードは、デプロイポリシーに従って管理対象ノードにサービス能力自動調整ポリシーを送信し、又は保守及び管理担当者は管理対象ノードのサービスインターフェース操作自動調整ポリシーを手動でデプロイする。管理対象ノードがこのデプロイ情報を受信しない場合、予め設定されたデフォルトポリシーを使用し、又は自動調整を実行しないことができる。
【０１３８】
ここで、自動調整ポリシーは、サービス実行期間の性能指標データに基づいてトリガーされてもよいし、設定された時間に従って自動調整が実行されてもよい。
【０１３９】
ステップ９０４において、管理対象ノードは、動作中にＭＡＮＯサービスとＭＡＮＯ管理サービスを含むサービスを管理ノード及び他のノードに提供する。
【０１４０】
ステップ９０５において、管理対象ノードが動作している期間に、自動ポリシー要求が満たされていると、ポリシーに従って、調整する必要があるサービスタイプ及びインターフェース操作調整目標値を判定する。
【０１４１】
ステップ９０６において、管理対象ノードは、要求に応じて、指定されたサービスインスタンスの能力変更操作を完了し、情報モデルでの関連情報を更新する。
【０１４２】
管理対象ノードは、変更されたサービスＩＤ、変更されたサポート操作リスト及び並行操作の最大数の情報を含むサービス能力変更通知を管理ノードに送信する。
【０１４３】
選択可能な実施形態６
図１０に示すように、本実施例は、本開示を使用してＶＮＦＭをアップグレードすることなく、サービスインターフェース操作及びサービスインスタンスの数を動的に調整することにより、このＶＮＦＭサポート能力の調整をどのように実現するかを、具体的な使用シナリオを組み合わせて説明する。
【０１４４】
次のステップにより完了される。
【０１４５】
前提条件：管理ノードは、独立デプロイ方式を使用し、ＶＮＦＭエンティティは、サービスインターフェース操作の自動調整及びサービスインスタンス数の制御される調整の実現をサポートする、本開示をサポートするアプリケーションソフトウェアを実行する。
【０１４６】
ステップ１において、初期デプロイでは、ネットワーク計画に従って、ＶＮＦＭ情報モデルにおける各ＭＡＮＯサービスのインスタンス数、各サービスインスタンスのサポートリスト及び並行操作の最大数を設計する。
【０１４７】
ステップ２において、トリガー条件１では、ネットワークサービスの変化により、接続されたＥＭ１エンティティは、ＶＮＦのデプロイを徐々に増やし始め、ＭＡＮＯサービスサポート能力調整ポリシーがトリガーされて有効になるまで増やした後、ＶＮＦＭは、並行操作の最大数を自動的に増やし、対応するリソースを申請して、ネットワークの運用要求に適応する。このプロセスではＶＮＦＭソフトウェアをアップグレードする必要がない。
【０１４８】
ステップ３において、トリガー条件２では、新しいエンティティＥＭ２が既存のネットワークに接続される必要があり、既存のＥＭ１に対する新しく追加されたエンティティの影響を回避するために、運用及び保守担当者は、管理ノードを介してＭＡＮＯサービスインスタンスの追加リクエストをＶＮＦＭに送信し、新しく追加されたＭＡＮＯサービスインスタンスの調整が成功した後、管理ノードは、新しく接続されたＥＭ２と新しく追加されたＭＡＮＯサービスインスタンスとの接続を確立し、ＥＭ２は、新しく追加されたＭＡＮＯサービスインスタンスによって提供されたサービスを消費し、元の他のエンティティに影響を与えず、ＶＮＦＭをアップグレードする必要もない。
【０１４９】
ステップ４において、トリガー条件３では、ネットワークサービスの変化により、ＥＭ１エンティティは、ＶＮＦのデプロイを徐々に減らし、ＭＡＮＯサービスサポート能力調整ポリシーがトリガーされて有効になるまで減らした後、ＶＮＦＭは、実際に実行されている並行操作の数に基づき、使用されていないリソースを解放し、ＶＮＦＭリソースの占有を減少する。このプロセスではＶＮＦＭソフトウェアをアップグレードする必要がない。
【０１５０】
以上の選択可能な実施形態により、本出願の実施例は、ＭＡＮＯエンティティが動作する期間に、動作環境ニーズに応じて、ＭＡＮＯエンティティにサポートされるサービス又は並行操作の最大数などの、サービスサポート能力を特徴付けるためのパラメータオブジェクトを動的に調整するというオンライン処理措置を提供することができることがわかる。
【０１５１】
なお、上記の実施例では、サービスサポート能力とサポート能力は、同じ概念である。
以上の実施形態の説明を通じて、当業者は、上記実施例による方法がソフトウェアと必要なハードウェアプラットフォームを組み合わせることにより実現されてもよく、当然、ハードウェアで実現されてもよく、多くの場合で前者がより良い実施形態であることを明確に理解することができる。このような理解に基づき、本発明の技術的解決策は実質的に又は従来技術に貢献を与える部分がソフトウェア製品の形で具体化することができ、このコンピュータソフトウェア製品は、記憶媒体（ＲＯＭ／ＲＡＭ、磁気ディスク、光ディスクなど）に記憶され、端末機器（携帯電話、コンピュータ、サーバー又はネットワーク機器などであってもよい）に本開示の各実施例に記載の方法を実行させるためのいくつかの命令を含む。
【０１５２】
実施例２
本実施例では、管理ノード、管理対象ノード、管理モジュールなどのサービス提供装置も提供される。この装置は、上記の実施例及び好ましい実施形態を実現するために使用され、説明されたものについては、説明を省略する。以下で使用されるように、「モジュール」という用語は、所定の機能を実現するソフトウェア及び／又はハードウェアの組み合わせであり得る。以下の実施例で説明される装置は、好ましくはソフトウェアで実現されるが、ハードウェア、又はソフトウェアとハードウェアの組み合わせの実現が可能であり、考えられる。
【０１５３】
図３は本発明の実施例に係る装置の構造ブロック図である。図３に示すように、この装置は、
ネットワーク機能仮想化管理及びオーケストレーションシステムＮＦＶ−ＭＡＮＯが動作している場合、サービスニーズに応じてＮＦＶ−ＭＡＮＯにおけるサービスノードのサービスサポート能力を調整するように設けられ、サービスノードがサービスサポート能力の調整をサポートし、サービスノードが調整されたサービスサポート能力に従ってサービスを提供する調整モジュール３０１を含む。
【０１５４】
選択可能に、装置は、サービスニーズに応じてＮＦＶ−ＭＡＮＯにおけるサービスノードのサービスサポート能力を調整する前に、サービスノードにサポートされる調整モードを確定するように設けられる第１の確定モジュールをさらに含む。
【０１５５】
選択可能に、第１の確定モジュールは、さらに、調整モードパラメータに基づいてサービスノードにサポートされる調整モードを確定するという方式で、サービスノードにサポートされる調整モードを確定するように設けられ、調整モードパラメータがサービスノードの構成情報に含まれる。
【０１５６】
選択可能に、調整モードパラメータは、サービスノードのサービスサポート能力パラメータのうち、調整をサポートするサービスサポート能力パラメータを特徴付けるための調整方式パラメータを含み、ここで、サポート能力パラメータは、サービスノードのサービスサポート能力を特徴付けるために使用される。
【０１５７】
選択可能に、調整をサポートするサービスサポート能力パラメータは、サービスノードにサポートされるサービスタイプ、サービスノードにサポートされる、指定されたサービスタイプのサービスインスタンスの数、サービスノードにサポートされるインターフェース操作、サービスノードにサポートされるインターフェース操作の並行操作の数のうちの少なくとも１つを含む。
【０１５８】
選択可能に、調整モジュールは、調整をサポートするサービスサポート能力パラメータに基づき、調整ターゲットに応じて、調整をサポートするサービスサポート能力パラメータに含まれる１つ又は複数のサービスサポート能力パラメータを調整するように設けられ、調整ターゲットがサービスニーズとサービスノードのサービスサポート能力によって確定される調整サブモジュールを含む。
【０１５９】
選択可能に、調整モードパラメータは、サービスノードにサポートされる調整イニシエーターを特徴付けるための調整イニシエーターパラメータをさらに含み、ここで、調整イニシエーターは、サービスノード及び／又はサービスノードの管理ノードを含む。
【０１６０】
選択可能に、装置は、サービスニーズに応じてＮＦＶ−ＭＡＮＯにおけるサービスノードのサービスサポート能力を調整する前に、サービスノードの構成情報によってサービスノードのサービスサポート能力が調整をサポートすることを確定するように設けられる第２の確定モジュールをさらに含む。
【０１６１】
選択可能に、構成情報は、サービスノードの情報モデルである。
【０１６２】
選択可能に、装置は、サービスニーズに応じてＮＦＶ−ＭＡＮＯにおけるサービスノードのサービスサポート能力を調整する前に、サービスサポート能力調整リクエスト、サービスノードが動作しているときの情報、予め設定されたデプロイポリシーのうちの少なくとも１つによってサービスニーズを確定するように設けられる第３の確定モジュールをさらに含む。
【０１６３】
選択可能に、装置は、サービスニーズに応じてＮＦＶ−ＭＡＮＯにおけるサービスノードのサービスサポート能力を調整する前に、サービスノードが調整トリガー条件を満たしていることを確定するように設けられ、調整トリガー条件が、予め設定された調整時間に達すること、サービスサポート能力調整リクエストを受信したこと、又はサービスノードが動作しているときの情報が予め設定された指標を満たしていることを含む第４の確定モジュールをさらに含む。
【０１６４】
選択可能に、装置は、サービスニーズに応じてＮＦＶ−ＭＡＮＯにおけるサービスノードのサービスサポート能力を調整した後、調整されたサービスサポート能力に応じてサービスノードのサービスサポート能力パラメータを更新するように設けられ、サービスサポート能力パラメータがサービスノードのサービスサポート能力を特徴付けるために使用される更新モジュールをさらに含む。
【０１６５】
選択可能に、装置は、サービスニーズに応じてＮＦＶ−ＭＡＮＯにおけるサービスノードのサービスサポート能力を調整した後、調整されたサービスサポート能力に応じて対応するリソースを申請又は解放して、サービスノードのリソースをサービスニーズと一致させるように設けられるサービスリソース調整モジュールをさらに含む。
【０１６６】
なお、上記の各モジュールは、ソフトウェア又はハードウェアで実現されてもよく、後者の場合、上記のモジュールがいずれも同じプロセッサに位置すること、又は、上記の各モジュールが任意の組み合わせの形態でそれぞれ異なるプロセッサに位置することで実現されてもよく、これらに限定されない。
【０１６７】
本開示の実施例によれば、上記のいずれか一項に記載のサービス提供装置を含むサービスシステムが提供される。
【０１６８】
実施例３
本開示の別の実施例によれば、コンピュータプログラムが記憶されており、このコンピュータプログラムが実行されるときに上記のいずれか一項の方法の実施例におけるステップを実行するように設けられる記憶媒体も提供される。
【０１６９】
選択可能に、本実施例では、上記の記憶媒体は、以下のステップを実行するためのコンピュータプログラムを記憶するように設けられてもよい。
【０１７０】
Ｓ１において、ネットワーク機能仮想化管理及びオーケストレーションシステム（ＮＦＶ−ＭＡＮＯ）が動作している場合、サービスニーズに応じてＮＦＶ−ＭＡＮＯにおけるサービスノードのサービスサポート能力を調整し、サービスノードが調整されたサービスサポート能力に従ってサービスを提供するようにし、ここで、サービスノードは、サービスサポート能力の調整をサポートする。
【０１７１】
選択可能に、本実施例では、上記の記憶媒体は、ＵＳＢフラッシュドライブ、読み出し専用メモリ（Ｒｅａｄ−Ｏｎｌｙ  Ｍｅｍｏｒｙ、ＲＯＭと略称）、ランダムアクセスメモリ（Ｒａｎｄｏｍ  Ａｃｃｅｓｓ  Ｍｅｍｏｒｙ、ＲＡＭと略称）、モバイルハードディスク、磁気ディスク又は光ディスク等のコンピュータプログラムを記憶できる様々な媒体を含むことができるがこれらに限定されない。
【０１７２】
本開示の実施例は、コンピュータプログラムを記憶しているメモリと、コンピュータプログラムを動作させて上記のいずれか一項の方法の実施例におけるステップを実行するように設けられるプロセッサとを含む電子装置をさらに提供する。
【０１７３】
選択可能に、本実施例における具体的な例について上記の実施例及び選択可能な実施形態で説明される例を参照することができ、本実施例では説明を省略する。
【０１７４】
明らかに、当業者は、上記の本開示の各モジュール又は各ステップが汎用コンピューティングデバイスによって実現されてもよいことを理解すべきであり、それらは、単一のコンピューティングデバイスに集中することができ、又は複数のコンピューティングデバイスで構成されたネットワークに分散することができ、選択可能に、それらは、コンピューティングデバイスで実行可能なプログラムコードで実現されてもよく、そのため、それらは、記憶装置に記憶されてコンピューティングデバイスで実行されてもよく、かついくつかの場合で、示されるか、又は説明されたステップは、ここでの順序とは異なる順序で実行されてもよく、又は、それらは、それぞれ各集積回路モジュールに作られてもよく、又は、それらのうちの複数のモジュール又はステップは、単一の集積回路モジュールに作られて実現されてもよい。
【０１７５】
このように、本開示は、いかなる特定のハードウェアとソフトウェアの組み合わせに限定されない。
【０１７６】
上述したものは、本開示の好ましい実施例に過ぎず、本開示を制限するためのものではなく、当業者であれば、本開示に対して様々な修正及び変更を行うことができる。本開示の原則内で行われるいかなる修正、同等置換と改善などは、いずれも本開示の保護範囲に含まれるべきである。
【産業上の利用可能性】
【０１７７】
上述したように、本発明の実施例によって提供されるサービス提供方法、装置、システム、記憶媒体及び電子装置は、ネットワーク機能仮想化管理及びオーケストレーションシステムＮＦＶ−ＭＡＮＯが動作している場合、サービスニーズに応じてＮＦＶ−ＭＡＮＯにおけるサービスノードのサービスサポート能力を調整し、ここで、サービスノードがサービスサポート能力の調整をサポートし、サービスノードが調整されたサービスサポート能力に従ってサービスを提供するため、サービスノードが調整されたサービスサポート能力に基づいてサービスを提供することができ、サービスノードの柔軟性が向上し、関連技術におけるサービスノードがサービスニーズを柔軟にサポートできないという問題が解決されるという有益な効果を有する。
【図１ａ】
2022501903.tif 000003
【図１ｂ】
2022501903.tif 000004
【図２】
2022501903.tif 000005
【図３】
2022501903.tif 000006
【図４ａ】
2022501903.tif 000007
【図４ｂ】
2022501903.tif 000008
【図５】
2022501903.tif 000009
【図６】
2022501903.tif 000010
【図７】
2022501903.tif 000011
【図８】
2022501903.tif 000012
【図９】
2022501903.tif 000013
【図１０】
2022501903.tif 000014
【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
サービス提供方法であって、
ネットワーク機能仮想化管理及びオーケストレーションシステムＮＦＶ−ＭＡＮＯが動作している場合、サービスニーズに応じて前記ＮＦＶ−ＭＡＮＯにおけるサービスノードのサービスサポート能力を調整するステップであって、前記サービスノードが前記サービスサポート能力の調整をサポートし、前記サービスノードが調整されたサービスサポート能力に従ってサービスを提供するステップを含む、サービス提供方法。
【請求項２】
サービスニーズに応じて前記ＮＦＶ−ＭＡＮＯにおけるサービスノードのサービスサポート能力を調整する前記ステップの前に、前記サービスノードにサポートされる調整モードを確定するステップを含む、請求項１に記載の方法。
【請求項３】
調整モードパラメータに基づいて前記サービスノードにサポートされる調整モードを確定するという方式で、前記サービスノードにサポートされる調整モードを確定し、ここで、前記調整モードパラメータが前記サービスノードの構成情報に含まれる、請求項２に記載の方法。
【請求項４】
前記調整モードパラメータは、前記サービスノードのサービスサポート能力パラメータのうち、調整をサポートする前記サービスサポート能力パラメータを特徴付けるための調整方式パラメータを含み、ここで、前記サービスサポート能力パラメータは、前記サービスノードのサービスサポート能力を特徴付けるために使用される、請求項３に記載の方法。
【請求項５】
前記調整をサポートする前記サービスサポート能力パラメータは、前記サービスノードにサポートされるサービスタイプ、前記サービスノードにサポートされる、指定されたサービスタイプのサービスインスタンスの数、前記サービスノードにサポートされるインターフェース操作、前記サービスノードにサポートされるインターフェース操作の並行操作の数のうちの少なくとも１つを含む、請求項４に記載の方法。
【請求項６】
サービスニーズに応じて前記ＮＦＶ−ＭＡＮＯにおけるサービスノードのサービスサポート能力を調整する前記ステップは、
前記調整をサポートする前記サービスサポート能力パラメータに基づき、調整ターゲットに応じて、前記調整をサポートする前記サービスサポート能力パラメータに含まれる１つ又は複数の前記サービスサポート能力パラメータを調整するするステップであって、前記調整ターゲットが前記サービスニーズと前記サービスノードのサービスサポート能力によって確定されるステップを含む、請求項４又は５に記載の方法。
【請求項７】
前記調整モードパラメータは、前記サービスノードにサポートされる調整イニシエーターを特徴付けるための調整イニシエーターパラメータをさらに含み、ここで、前記調整イニシエーターが前記サービスノード及び／又は前記サービスノードの管理ノードを含む、請求項３に記載の方法。
【請求項８】
サービスニーズに応じて前記ＮＦＶ−ＭＡＮＯにおけるサービスノードのサービスサポート能力を調整する前記ステップの前に、前記サービスノードの構成情報によって前記サービスノードのサービスサポート能力が調整をサポートすることを確定するステップをさらに含む、請求項１に記載の方法。
【請求項９】
前記構成情報は、前記サービスノードの情報モデルである、請求項３又は８に記載の方法。
【請求項１０】
サービスニーズに応じて前記ＮＦＶ−ＭＡＮＯにおけるサービスノードのサービスサポート能力を調整する前記ステップの前に、
サービスサポート能力調整リクエスト、前記サービスノードが動作しているときの情報、予め設定されたデプロイポリシーのうちの少なくとも１つによって前記サービスニーズを確定するステップをさらに含む、請求項１に記載の方法。
【請求項１１】
サービスニーズに応じて前記ＮＦＶ−ＭＡＮＯにおけるサービスノードのサービスサポート能力を調整する前記ステップの前に、
前記サービスノードが調整トリガー条件を満たしていることを確定するステップであって、前記調整トリガー条件が、予め設定された調整時間に達すること、サービスサポート能力調整リクエストを受信したこと、又は前記サービスノードが動作しているときの情報が予め設定された指標を満たしていることを含むステップを含む、請求項１に記載の方法。
【請求項１２】
サービスニーズに応じて前記ＮＦＶ−ＭＡＮＯにおけるサービスノードのサービスサポート能力を調整する前記ステップの後、前記調整されたサービスサポート能力に応じて前記サービスノードのサービスサポート能力パラメータを調整するステップであって、前記サービスサポート能力パラメータが前記サービスノードのサービスサポート能力を特徴付けるために使用されるステップを含む、請求項１に記載の方法。
【請求項１３】
サービスニーズに応じて前記ＮＦＶ−ＭＡＮＯにおけるサービスノードのサービスサポート能力を調整する前記ステップの後、
前記調整された前記サービスサポート能力に応じて対応するリソースを申請又は解放して、前記サービスノードのリソースを前記サービスニーズと一致させるステップをさらに含む、請求項１に記載の方法。
【請求項１４】
サービス提供装置であって、
ネットワーク機能仮想化管理及びオーケストレーションシステムＮＦＶ−ＭＡＮＯが動作している場合、サービスニーズに応じて前記ＮＦＶ−ＭＡＮＯにおけるサービスノードのサービスサポート能力を調整するように設けられ、前記サービスノードが前記サービスサポート能力の調整をサポートし、前記サービスノードが調整されたサービスサポート能力に従ってサービスを提供する調整モジュールを含む、サービス提供装置。
【請求項１５】
コンピュータに前記請求項１〜１３のいずれか１項に記載の方法を実行させるコンピュータプログラム。
【国際調査報告】
2022501903.tif 000015
2022501903.tif 000016
2022501903.tif 000017
2022501903.tif 000018